【手続補正書】
【提出日】令和3年11月18日(2021.11.18)
【手続補正１】
【補正対象書類名】特許請求の範囲
【補正対象項目名】全文
【補正方法】変更
【補正の内容】
【特許請求の範囲】
【請求項１】
オーディオ信号の高周波再構成を実行する方法であって、当該方法は、
符号化されたオーディオビットストリームを受信し、該符号化されたオーディオビットストリームは、前記オーディオ信号の低帯域部分を表すオーディオデータと、高周波再構成メタデータとを含み、
前記オーディオデータを復号して、復号された低帯域オーディオ信号を生成し、
前記符号化されたオーディオビットストリームから前記高周波再構成メタデータを抽出し、前記高周波再構成メタデータは、高周波再構成プロセスのための動作パラメータを含み、該動作パラメータは、前記符号化されたオーディオビットストリームの後方互換拡張コンテナ内に置かれたパッチングモードパラメータを含み、該パッチングモードパラメータの第１の値は、スペクトル変換を指し示し、該パッチングモードパラメータの第２の値は、位相ボコーダ周波数拡散による高調波トランスポジションを指し示し、
複素ＱＭＦ分析フィルタバンクを用いて、前記復号された低帯域オーディオ信号を複数のサブバンドへとフィルタリングして、フィルタリングされた低帯域オーディオ信号を生成し、
前記フィルタリングされた低帯域オーディオ信号及び前記高周波再構成メタデータを用いて、前記オーディオ信号の高帯域部分を再生成し、当該再生成することは、前記パッチングモードパラメータが前記第１の値である場合にスペクトル変換を含み、当該再生成することは、前記パッチングモードパラメータが前記第２の値である場合に位相ボコーダ周波数拡散による高調波トランスポジションを含み、
複素ＱＭＦ合成フィルタバンクを用いて、前記フィルタリングされた低帯域オーディオ信号を前記再生成された高帯域部分と組み合わせて、広帯域オーディオ信号を形成する、
ことを有し、
前記複素ＱＭＦ分析フィルタバンクの分析フィルタｈｋ（ｎ）及び前記複素ＱＭＦ合成フィルタバンクの合成フィルタｆｋ（ｎ）は、
【数１】
2021157202.tif 000001
によって規定され、ここで、ｐ０（ｎ）は実数値のプロトタイプフィルタであり、Ｍはチャンネル数を表し、Ｎはプロトタイプフィルタ次数であり、
前記フィルタリングすること、前記再生成すること、及び前記組み合わせることは、オーディオチャンネル当たり３０１０サンプルの遅延で後処理動作として実行され、前記スペクトル変換は、適応逆フィルタリングによって、音調成分と雑音ライク成分との間の比を維持することを有する、
方法。
【請求項２】
前記高周波再構成メタデータは、エンベロープスケールファクタ、ノイズフロアスケールファクタ、時間／周波数グリッド情報、又はクロスオーバー周波数を指し示すパラメータを含む、請求項１に記載の方法。
【請求項３】
前記後方互換拡張コンテナは更に、前記パッチングモードパラメータが前記第１の値に等しいときに、前記高帯域部分のスペクトルエンベロープの形状における不連続を回避するために追加の前処理が使用されるかを指し示すフラグを含み、該フラグの第１の値は、前記追加の前処理をイネーブルし、該フラグの第２の値は、前記追加の前処理をディセーブルする、請求項１に記載の方法。
【請求項４】
前記追加の前処理は、線形予測フィルタ係数を用いてプリゲイン曲線を計算することを含む、請求項３に記載の方法。
【請求項５】
前記後方互換拡張コンテナは更に、前記パッチングモードパラメータが前記第２の値に等しいときに、信号適応周波数ドメインオーバーサンプリングが適用されるべきかを指し示すフラグを含み、該フラグの第１の値は、前記信号適応周波数ドメインオーバーサンプリングをイネーブルし、該フラグの第２の値は、前記信号適応周波数ドメインオーバーサンプリングをディセーブルする、請求項１に記載の方法。
【請求項６】
前記信号適応周波数ドメインオーバーサンプリングは、過渡信号を含むフレームに対してのみ適用される、請求項５に記載の方法。
【請求項７】
位相ボコーダ周波数拡散による前記高調波トランスポジションは、毎秒４５０万演算及び３ｋワードのメモリの又はそれよりも低い推定複雑度で実行される、請求項１に記載の方法。
【請求項８】
前記複素ＱＭＦ分析フィルタバンクは更に、チャネル依存の位相シフトを有し、該チャネル依存の位相シフトは前記複素ＱＭＦ合成フィルタバンクによって補償される、
請求項１に記載の方法。
【請求項９】
命令を有するコンピュータプログラムであって、前記命令は、コンピューティング装置又はシステムによって実行されるときに、該コンピューティング装置又はシステムに、請求項１乃至８のいずれかに記載の方法を実行させる、コンピュータプログラム。
【請求項１０】
オーディオ信号の高周波再構成を実行するオーディオ処理ユニットであって、当該オーディオ処理ユニットは、
符号化されたオーディオビットストリームを受信する入力インタフェースであり、前記符号化されたオーディオビットストリームは、前記オーディオ信号の低帯域部分を表すオーディオデータと、高周波再構成メタデータとを含む、入力インタフェースと、
前記オーディオデータを復号して、復号された低帯域オーディオ信号を生成するコアオーディオデコーダと、
前記符号化されたオーディオビットストリームから前記高周波再構成メタデータを抽出するデフォーマッタであり、前記高周波再構成メタデータは、高周波再構成プロセスのための動作パラメータを含み、該動作パラメータは、前記符号化されたオーディオビットストリームの後方互換拡張コンテナ内に置かれたパッチングモードパラメータを含み、該パッチングモードパラメータの第１の値は、スペクトル変換を指し示し、該パッチングモードパラメータの第２の値は、位相ボコーダ周波数拡散による高調波トランスポジションを指し示す、デフォーマッタと、
前記復号された低帯域オーディオ信号をフィルタリングして、フィルタリングされた低帯域オーディオ信号を生成する分析フィルタバンクと、
前記フィルタリングされた低帯域オーディオ信号及び前記高周波再構成メタデータを用いて、前記オーディオ信号の高帯域部分を再構成する高周波リジェネレータであり、前記再構成することは、前記パッチングモードパラメータが前記第１の値である場合にスペクトル変換を含み、前記再構成することは、前記パッチングモードパラメータが前記第２の値である場合に位相ボコーダ周波数拡散による高調波トランスポジションを含む、高周波リジェネレータと、
前記フィルタリングされた低帯域オーディオ信号を前記再構成された高帯域部分と組み合わせて、広帯域オーディオ信号を形成する合成フィルタバンクと、
を有し、
前記分析フィルタバンク、前記高周波リジェネレータ、及び前記合成フィルタバンクは、オーディオチャンネル当たり３０１０サンプルの遅延でポストプロセッサにて実行され、前記スペクトル変換は、適応逆フィルタリングによって、音調成分と雑音ライク成分との間の比を維持することを有し、
前記複素ＱＭＦ分析フィルタバンクの分析フィルタｈｋ（ｎ）及び前記複素ＱＭＦ合成フィルタバンクの合成フィルタｆｋ（ｎ）は、
【数２】
2021157202.tif 000002
によって規定され、ここで、ｐ０（ｎ）は実数値のプロトタイプフィルタであり、Ｍはチャンネル数を表し、Ｎはプロトタイプフィルタ次数である、
オーディオ処理ユニット。
【請求項１１】
位相ボコーダ周波数拡散による前記高調波トランスポジションは、毎秒４５０万演算及び３ｋワードのメモリの又はそれよりも低い推定複雑度で実行される、請求項１０に記載のオーディオ処理ユニット。